(57)【要約】  本発明は、ポンプから離れた場所で、かつワイヤレスにポンプの動作状況をモニターできこれを制御できる磁気ポンプを提供することを課題とする。  吸入口と吐出口とを有するポンプケースと、該ポンプケース内に回転可能に収容され、磁気手段と結合したインペラーとを備えたポンプ本体と、該ポンプ本体と離隔し該磁気手段に回転磁界を与えるための回転磁界発生手段と、上記磁気手段が外部に作り出している磁界と上記回転磁界との位相差を検出する手段とを備えた磁気ポンプである。【選択図】図８
2012008383.tif 000002
【特許請求の範囲】
【請求項１】
吸入口と吐出口とを有するポンプケースと、該ポンプケース内に回転可能に収容され、磁気手段と結合したインペラーとを備えたポンプ本体と、該ポンプ本体と離隔し該磁気手段に回転磁界を与えるための回転磁界発生手段と、上記磁気手段が外部に作り出している磁界と上記回転磁界との位相差を検出する手段とを備えた磁気ポンプ。
【請求項２】
上記位相差を検出する手段は、上記磁気手段の回転により生じる電圧と上記回転磁界により生じる電圧との位相差を検出し、該位相差に基づいてポンプの出力をモニターすることを特徴とする請求項１に記載の磁気ポンプ。
【請求項３】
上記位相差を検出する手段は、上記回転磁界及び上記磁気手段の回転により生じる電圧を検出する検出コイルを含み、該検出コイルの検出する電圧から既知の回転磁界の回転により生じる電圧の差分により上記磁気手段の回転により生じる電圧を算出し、既知の回転磁界により生じる電圧との位相差を検出することを特徴とする請求項１又は２に記載の磁気ポンプ。
【請求項４】
上記検出コイルは、ポンプ本体とは離れた位置に設けられていることを特徴とする請求項３に記載の磁気ポンプ。
【請求項５】
上記回転磁界発生手段は、固定された複数のコイルであることを特徴とする請求項１ないし４のいずれか１項に記載の磁気ポンプ。
【請求項６】
上記インペラーは、多段式インペラーであることを特徴とする請求項１ないし５のいずれか１項に記載の磁気ポンプ。
【請求項７】
上記ポンプは、血液ポンプであることを特徴とする請求項１ないし６のいずれか１項に記載の磁気ポンプ。
【請求項８】
上記磁気手段は、永久磁石であることを特徴とする請求項１ないし７のいずれか１項に記載の磁気ポンプ。
【発明の詳細な説明】
【技術分野】
【０００１】
本発明は、磁気ポンプに関するものである。
【背景技術】
【０００２】
様々な用途を目的とするポンプについて、多くの研究が実施されてきた。
また、材料の開発及びマイクロあるいはナノ構造作製技術の発達により、様々なタイプの小型ポンプの開発がなされてきた。しかし、ほとんどの小型ポンプは、電線又はバッテリーにより制御されている。【０００３】
近年、こうした課題を解決するために、外部磁界制御を備えた磁気ポンプが導入されている（非特許文献１参照）。磁気ポンプは、薬物送達及びｕＴＡＳにおいて重要な役割を有しているため、注目を集めてきた。
医療用途のポンプは、その動作機構に従って、遠心ポンプ、軸流ポンプ、及び拍動ポンプの３つのタイプに分類できる。さらに、血液ポンプは、脈動流ポンプ及び連続流ポンプ（回転式）の２つのタイプに分類できる。
連続流ポンプ（回転式）は、近年、血液ポンプのために開発されたものである（特許文献１、非特許文献２〜４参照）。脈動流ポンプが、バルブ式で、高価であり、非常に重く、低効率、制御が複雑で、電力消費が高く、生産性が低いのに対し、連続流ポンプ（回転式）には様々な利点がある。連続流ポンプ（回転式）は、バルブがなく、安価、小型かつ軽量、さらに制御が簡単で、電力消費が低く、生産性も高い。【０００４】
従来の連続流ポンプ（回転式）では、ポンプの動作状況をモニターする場合、流路に圧力計あるいは流量計を設ける必要がある。このためポンプの周辺に余分の装置を必要とし、またこのための余分の配線が必要となる。これは特に体内埋込型血液ポンプの場合には、実用化にとって大きな障害となる。
【先行技術文献】
【特許文献】
【０００５】
【特許文献１】特開平７−７５６６７号公報
【非特許文献】
【０００６】
【非特許文献１】A. Yamazaki, M. Sendoh, K. Ishiyama, K.I Arai, and T. Hayase (2003), IEEE trans on magnetics 39 5
【非特許文献２】T. Yamane (2002) J Artif Organs 5 149-155
【非特許文献３】Jarvik RK (1995) Artif Organs 19 565-570
【非特許文献４】Masuzawa T, Kita T, Okada Y (2001), Artif Organs 25 395-399
【発明の概要】
【発明が解決しようとする課題】
【０００７】
本発明は、従来の連続流ポンプ（回転式）における問題点を解決し、ポンプ本体から離れた場所で、かつワイヤレスにポンプ本体の動作状況をモニターでき、かつこれを制御できる磁気ポンプを提供することを課題とする。
【課題を解決するための手段】
【０００８】
上記課題を解決するために本発明は、次のような磁気ポンプを提供する。
（１）吸入口と吐出口とを有するポンプケースと、該ポンプケース内に回転可能に収容され、磁気手段と結合したインペラーとを備えたポンプ本体と、該ポンプ本体と離隔し該磁気手段に回転磁界を与えるための回転磁界発生手段と、上記磁気手段が外部に作り出している磁界と上記回転磁界との位相差を検出する手段とを備えた磁気ポンプ。
（２）上記位相差を検出する手段は、上記磁気手段の回転により生じる電圧と上記回転磁界により生じる電圧との位相差を検出し、該位相差に基づいてポンプの出力をモニターすることを特徴とする（１）に記載の磁気ポンプ。
（３）上記位相差を検出する手段は、上記回転磁界及び上記磁気手段の回転により生じる電圧を検出する検出コイルを含み、該検出コイルの検出する電圧から既知の回転磁界の回転により生じる電圧の差分により上記磁気手段の回転により生じる電圧を算出し、既知の回転磁界により生じる電圧との位相差を検出することを特徴とする（１）又は（２）に記載の磁気ポンプ。
（４）上記検出コイルは、ポンプ本体とは離れた位置に設けられていることを特徴とする（３）に記載の磁気ポンプ。
（５）上記回転磁界発生手段は、固定された複数のコイルであることを特徴とする（１）ないし（４）のいずれかに記載の磁気ポンプ。
（６）上記インペラーは、多段式インペラーであることを特徴とする（１）ないし（５）のいずれかに記載の磁気ポンプ。
（７）上記ポンプは、血液ポンプであることを特徴とする（１）ないし（６）のいずれかに記載の磁気ポンプ。
（８）上記磁気手段は、永久磁石であることを特徴とする（１）ないし（７）のいずれかに記載の磁気ポンプ。
【発明の効果】
【０００９】
本発明によれば、ポンプをワイヤレスに駆動できるばかりでなく、ポンプ本体から離れた場所で、かつワイヤレスにポンプ本体の動作状況をモニターでき、かつこれを制御できる磁気ポンプが可能になる。
特に本発明に係る磁気ポンプは、安価、小型かつ軽量、さらに制御が簡単で、電力消費が低いことが要求される体内埋込型の血液ポンプの実用化に大きな貢献をなすものである。
【図面の簡単な説明】
【００１０】
【図１】回転磁界の生成及び駆動方法を示す図
【図２】インペラーの流入及び流出間の速度図
【図３】ポンプ本体の設計及び製造を示す図
【図４】吐出し部分の流動力学シミュレーションを示す図
【図５】流量及び圧力の関係を示す図
【図６】実験風景写真
【図７】ポンプ本体の分解斜視図
【図８】検出コイルが検出する電圧波形
【図９】動物実験中の、必要時に体外から駆動する右心補助装置の写真
【図１０】動物実験における右心補助効果の時系列曲線
【発明を実施するための形態】
【００１１】
（動作機構の原理）
磁気ポンプは、回転磁界により駆動される。本来のエネルギー源は、磁気トルクである。ローター上のＮｄＦｅＢ永久磁石は、回転磁界と同期する。回転速度は、磁界の周波数に応じて変動する。
図１は、回転磁界の原理及び回転磁界内の同期状態の原理を示す。図１（ａ）に示すように、均質な回転磁界を生成するために、コイル１及びコイル２の交点の角度は９０°である。また入力電流信号の位相差は、図１（ｂ）から分かるように９０°である。
この状態で、回転磁界は、図１（ｃ）及び（ｄ）に示すベクトルの和として生成される。また、回転磁界と、ＮｄＦｅＢ永久磁石の磁気モーメントの間の磁気トルクは、以下のように表すことができる。
Ｔ  ＝  ｍＨ  ｓｉｎθ  ［Ｎｍ］                        （１）
（ｍは磁石の磁気モーメントであり、Ｈは回転磁界であり、θはｍとＨの間の角度である）。
【００１２】
（遠心ポンプ及びインペラーの基本理論）
遠心ポンプは、角運動量理論及び運動量のモーメントの原理による。すなわち遠心ポンプは、運動エネルギーから圧力エネルギーへエネルギー変換するものである。液体に与えられるエネルギーの量は、インペラー上のエッジ又はブレード先端での速度に比例する。図２は、単一インペラー上のエッジ又はブレードでの速度を示す。図２において、ｗは液体粒子の相対速度、ｖは液体粒子の絶対速度、ｕは周速度、ｒは半径、αはｕとｖの間の角度、βはブレードの角度である。インペラー及びポンプの特性は、ブレード角β２により決定されるブレード形状に応じて変わる。
【００１３】
角運動量理論に従い、トルクＴtorque及びパワーＰpowerは以下のように表すことができる。
Ｔtorque＝ρＱ（ｒ２ｖ２  ｃｏｓα２−ｒ１ｖ１  ｃｏｓα１）    （２）
Ｐpower＝Ｔtorque×ω＝ρｇＱＨｐ
＝ρＱ（ｕ２ｖ２  ｃｏｓα２−ｕ１ｖ１  ｃｏｓα１）    （３）
上記式中、ρは液体密度、Ｑは流動液体の量、Ｈｐはポンプヘッド、ｇは重力及びωは角運動速度である。
【００１４】
実際のポンプヘッドを取得するために、角度（α１＝９０°）を仮定する。この場合、ポンプヘッド（Ｈｐ）は以下のように表すことができる。
Ｈｐ＝１／ｇ  ｕ２ｖ２  ｃｏｓα２                          （４）
ブレード角度（β２）の影響を分析するために、式（４）をβ２によって変換した後、図２に示すように、α２をｖ２ｕにより変換する。ポンプヘッド（Ｈｐ）は以下のように書き直すことができる。
Ｈｐ＝１／ｇ  （ｕ２２−ｕ２ｖｎ２  ｃｏｔβ２）              （５）
【００１５】
ポンプヘッドは、一定の回転数の下で以下の３つの条件に従う角度（β２）に応じて変動する。
１．β２＞９０°：ｃｏｔβ２＜０及びｖｎ２ｃｏｔβ２＜０のとき、ヘッドは、流量が減少するに従い増加する。
２．β２＝９０°：ｃｏｔβ２＝０及びｖｎ２ｃｏｔβ２＝０のとき、ヘッドは、流量とは関係なく、一定値である。
３．β２＜９０°：ｃｏｔβ２＞０及びｖｎ２ｃｏｔβ２＞０のとき、ヘッドは、流量が増加するに従い減少する。
【００１６】
（ポンプ本体の設計及び基本的特性）
本発明に係る磁気ポンプのポンプ本体は、多段式インペラー及びＮｄＦｅＢ永久磁石（直径：１８．８ｍｍ、厚さ：４ｍｍ）を含む。ポンプケースは、そのインペラーが浮動式であるため、回転軸及び軸受を必要としない。これにより、一般的な機械的問題が解消される。磁気ポンプは、医療用途において様々な利点を有する。これは、ワイヤレスで、バッテリー不要という単純な構造で機械的問題がなく、さらに熱を一切発生しない。磁気ポンプの基本的特性は、磁界及び動作周波数に応じて変わる。
【００１７】
２つのコイルの交点及び磁界密度が、ポンプ本体と駆動コイルの間の距離を決定する。このとき、周波数により吐出圧を調節することができる。振動流ポンプの場合、これは共鳴振動数に応じて変動する。しかし、遠心ポンプは、飽和点までの動作周波数に比例する。本発明のポンプ本体は、回転磁界の回転方向（逆時計回り又は時計回り）に従い、二方向に回転できる。この場合、流量及び圧力は式（５）により決定される。インペラー上に形成されるブレード角（β２）は、回転方向が逆時計回りのとき、９０°より小さい。しかし、回転方向が時計回りのとき、ブレード角（β２）は９０°より大きい。
【００１８】
図３は、組み立てられたインペラー及びポンプ本体を示す。図３において、（ａ）は３Ｄによるインペラー、（ｂ）はローターを構成するディスク型ＮｄＦｅＢ永久磁石を備える多段式インペラー及び（ｃ）は完全に実装したポンプ本体をそれぞれ示す。
単一インペラーの各測定値は１ｍｍで、ローターとポンプケースの内壁との間の隙間は０．２ｍｍである。このサイズは、上記ローターが浮動式であることから、出発トルクを決定するために重要である。吐出し部分の直径により、流量及び動圧が決定される。例えば、直径が小さければ、動圧は増大する可能性があるが、流量は定ｒｐｍで低下する。
【００１９】
図４は、ポンプケース上の吐出し部分における流動シミュレーションを示す図面である。図４において、（ａ）は吐出し部分の直径（６ｍｍ及び３ｍｍ）の圧力分布、（ｂ）は圧力の測定結果（動圧、静圧、及び全圧：吐出し部分６ｍｍ）をそれぞれ示す。流動シミュレーションにより、最適な吐出し部分のサイズを設計することができる。
【００２０】
（実験結果）
本発明者らは、磁気ポンプを作製した。その構成は、ポンプ本体、駆動コイル対及び電源からなる。前述したように、ポンプ本体と駆動コイルとの距離は、駆動コイル間の交点の角度により決定される。
本実験では、駆動コイル間の交点の角度を９０°で実施した。また、２つの駆動コイルの電流信号の位相差も９０°で固定した。磁気ローターを駆動するために、動作周波数は１０Ｈｚ〜１００Ｈｚとする（ｒｐｍ：６，０００ｒｐｍ以下）。この実験では、２種類のポンプケース（流出直径３ｍｍ及び６ｍｍ）と、各々６ｍｍ、８ｍｍ、及び１０ｍｍのチューブを用いた。ローター上の磁石特性（サイズ、磁気モーメント）は、トルクを生成することから、回転磁界内では重要な因子である。
【００２１】
図５の（ｂ）〜（ｄ）は、磁気ポンプの諸特性を示す。図５において、（ａ）は循環のためのテストベッド、（ｂ）は吐出し部分（直径６ｍｍ及び３ｍｍ）の比較、（ｃ）は流量及び圧力の関係（吐出し部分６ｍｍ及び流出管１０ｍｍ）、及び（ｄ）は増加する周波数での流量の変化をそれぞれ示す。
第１に、流量と圧力の関係は反比例の関係にある。
第２に、流量及び圧力は、動作周波数（ｒｐｍ）に比例する。
しかし、コイル上のインピーダンスは周波数に応じて変動する。結局、動作周波数が増加すると、駆動電流の低下を引き起こす。最後に、吐出し部分のサイズにより、動作周波数と共に、流量及び圧力が決定される。流量及び圧力について吐出し部分（３ｍｍ及び６ｍｍ）を比較した。この場合、圧力差は４００Ｐａであり、流量は、図５（ｂ）に示すように、流出管の直径が６ｍｍのとき、７０Ｈｚで５００ｍｌ／分である。しかし、吐出し部分６ｍｍ及び流出管１０ｍｍでは、図５（ｃ）に示すように、高い流量（７０Ｈｚで３，２００ｍｌ／分及び１００Ｈｚで４，８００ｍｌ／分）をもたらすが、圧力は最大値２００Ｐａまで低下した。
【００２２】
（動作状態のモニター）
本発明に係る磁気ポンプの動作状態をモニターする手法を説明する。
磁気ポンプ動作時には、検出コイル周辺に２種類の磁界が存在する。すなわち、磁気手段である内蔵磁石を回転させるために外部から与える回転磁界と、内蔵磁石が発生する磁界である。
その際、内蔵磁石の回転に伴って磁石が外部に作り出す磁界も回転するため、適切な位置に検出コイルを設置することによりコイルに誘導起電力が生じ、回転周波数と磁界強度に比例した交流電圧がコイル両端に発生する。そして、検出コイル両端の電圧波形から内蔵磁石の回転をモニターすることができる。
検出コイルは内蔵磁石が発生する磁界を効率良く検出する位置に置かれるが、そこでは同時に外部から与えた回転磁界も検出する。しかしながら、この二つの磁界には位相差があり、その位相差を計測することこそが、内蔵磁石の回転の様子を知る重要な情報となる。
【００２３】
ポンプは周辺流体に対して力を与えることによりポンプとして動作する。これはモーターにおける負荷に相当する。磁気トルクの原理から、外部から与えた磁界と磁石の磁化の向きの角度差とトルクが比例するため、このポンプの場合には、回転磁界に対して磁石は常にある程度の位相遅れを持って、しかも同じ回転数で、回転する。そしてその位相遅れの量は、回転磁界と磁石の間に働くトルクの大きさに比例し、これはすなわちポンプの出力トルクに比例することになる。
【００２４】
内蔵磁石が回転磁界に対してどの程度の位相遅れで回転しているかは、内蔵磁石が外部に作り出している磁界と回転磁界との位相差を検出すればよい。これら二つの磁界を同時に一つの検出コイルで観測すれば、外部回転磁界の位相は既知であることから、回転磁界と内蔵磁石の位相差を知ることができる。
そして、この位相差に基づいてトルクが算出でき、ポンプ出力をモニターできることになる。すなわち、ポンプ出力が大きい場合には位相差が大きくなり、出力が小さい場合には位相差が小さくなる。具体的には位相差がゼロのときには前述の式（１）のθがゼロとなってトルクがゼロとなり、これは無負荷(出力ゼロ)で回転している場合に相当する。負荷の増大(出力の増大)に伴って位相が変化し、位相が90度の場合にトルクが最大となりここでの出力がポンプの最大出力となる。よって、位相計測によりポンプの最大出力に対する瞬時の出力割合がリアルタイムにモニターできることになる。
【００２５】
当然ながら、検出コイルはポンプ本体とは離れた位置に設置される。
例えばこのポンプを人工心臓に適用するのであれば、検出コイルは体外に設置され、体内のポンプ本体の動作をモニターできる。この原理を用いることで、例えば急激に負荷が大きくなった際には、即座に外部回転磁界の強度を増加させて対応するなどのいわゆるフィードバックシステムが構築可能となる。
【００２６】
（原理の実証）
上記原理を実証するために検出コイルをポンプケースの周りに密着させ、ポンプに対して、交差した２個のコイルによる外部回転磁界を加え検出コイルの出力電圧を観測した。図６にその実験風景写真を示す。図７は、ポンプ本体の分解斜視図である。ポンプケースの表面に検出コイルが配置されている。
図８に、検出コイルが検出する電圧波形を実線で示す。検出コイルでは、二つの磁界を同時に計測するため、図８における実線で示す波形が観測される。
一方、外部回転磁界は既知であるため、図８中の破線の波形はあらかじめ用意できる。それら二つの波形の差分から、一点鎖線で示す内蔵磁石の回転により生じる電圧波形を算出できる。
その後、破線と一点鎖線の二つの波形の位相差を計測すれば、それがポンプ出力となる。この図８では、破線は９０度で最大値を取るが、一点鎖線は６０度で最大値を取っており、位相差が３０度存在する。負荷が変化すれば、一点鎖線が図中で左右に平行移動して位相差が変化することになる。
【００２７】
（動物実験）
本発明に係る磁気ポンプの効果を実証するために、動物実験を実施した。
図９は動物実験中の、必要時に体外から駆動する右心補助装置の写真である。右心室から肺動脈へ送り込まれるバイパス回路が埋め込まれ、インペラーと接合した永久磁石が駆動力を発生させる。右心室から肺動脈のバイパス回路に、皮下に埋め込まれるインペラーが組み込まれている。このバイパス回路はこの後、皮下に埋め込まれるので、完全埋め込みの無菌的埋め込みが具現化する。
図１０は、体外から駆動することができる補助循環装置の、動物実験における右心補助効果の時系列曲線である。上段からポンプ流出側圧、流入側圧、ポンプ流量である。駆動を開始すると、ポンプ流量が増加し、右心補助効果が表れていることがわかる。
なお、動物実験では右心補助として実施したが、左心補助に応用することもできる。
【００２８】
本明細書では血液ポンプを例示して本発明を説明したが、本発明は実施例に挙げた血液ポンプに限定されず、あらゆる磁気ポンプに適用できる。
本発明は例えば、壁の向こう側に置かれたポンプ本体を壁の手前から駆動するような場合に応用可能である。
すなわち、壁の向こう側が例えば高温、低温、真空、高放射能状態、無菌室の状態にあり、壁の向こう側に駆動源を置くことが好ましくない場合に特に有効である。
また、本発明は、チューブや配管のような狭い箇所に設置したポンプ本体を外部から駆動する場合にも有効である。
【図１】
2012008383.tif 000003
【図２】
2012008383.tif 000004
【図８】
2012008383.tif 000005
【図１０】
2012008383.tif 000006
【図３】
2012008383.tif 000007
【図４】
2012008383.tif 000008
【図５】
2012008383.tif 000009
【図６】
2012008383.tif 000010
【図７】
2012008383.tif 000011
【図９】
2012008383.tif 000012
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
（削除）
【請求項２】
吸入口と吐出口とを有するポンプケースと、該ポンプケース内に回転可能に収容され、磁気手段と結合したインペラーとを備えたポンプ本体と、該ポンプ本体とは別体として離隔し該磁気手段に回転磁界を与えるための回転磁界発生手段と、上記磁気手段が外部に作り出している磁界と上記回転磁界との位相差を検出する手段とを備えた磁気ポンプであって、
上記位相差を検出する手段は、上記磁気手段の回転により生じる電圧と上記回転磁界により生じる電圧とを同時に検出し、既知の回転磁界により生じる電圧を利用してその位相差を検出し、該位相差に基づいてポンプの出力をモニターすることを特徴とする磁気ポンプ
【請求項３】
上記位相差を検出する手段は、上記回転磁界及び上記磁気手段の回転により生じる電圧を検出する検出コイルを含み、該検出コイルの検出する電圧から既知の回転磁界の回転により生じる電圧の差分により上記磁気手段の回転により生じる電圧を算出し、既知の回転磁界により生じる電圧との位相差を検出することを特徴とする請求項１又は２に記載の磁気ポンプ。
【請求項４】
上記検出コイルは、ポンプ本体とは離れた位置に設けられていることを特徴とする請求項３に記載の磁気ポンプ。
【請求項５】
上記回転磁界発生手段は、固定された複数のコイルであることを特徴とする請求項１ないし４のいずれか１項に記載の磁気ポンプ。
【請求項６】
上記インペラーは、多段式インペラーであることを特徴とする請求項１ないし５のいずれか１項に記載の磁気ポンプ。
【請求項７】
上記ポンプは、血液ポンプであることを特徴とする請求項１ないし６のいずれか１項に記載の磁気ポンプ。
【請求項８】
上記磁気手段は、永久磁石であることを特徴とする請求項１ないし７のいずれか１項に記載の磁気ポンプ。
【国際調査報告】
2012008383.tif 000013
2012008383.tif 000014
2012008383.tif 000015
2012008383.tif 000016